(57)【要約】【課題】表示モジュールが振動した場合に光学シートが動くことが抑制され、光学シートが伸縮した場合に表示品位の不良が発生することが抑制されるとともに、表示パネルのセル厚が変化して表示品位が悪化することが抑制された表示装置、及び該表示装置を備えるテレビジョン受信機を提供する。【解決手段】表示装置は、表示パネルの後側に配され、端縁部に、面方向に沿って突出する位置規制部６１ａ、６２ａ、６３ａを有する複数の光学シート６１、６２、６３と、枠状をなし、光学シート６１、６２、６３の端縁部を係止する係止部７１を有するミドルシャーシ７と、係止部７１を切り欠くように設けられた挿入部７６とを備える。位置規制部６１ａ、６２ａ、６３ａは幅寸法が異なり、位置規制部６１ａ、６２ａ、６３ａを覆うように押さえた状態で端部が挿入部７６の端部に固定されたシート押さえ部材８を備える。【選択図】図７
2017040890.tif 000002
【特許請求の範囲】
【請求項１】
矩形板状をなし、前側で映像を表示する表示パネルの後側に配され、端縁部に、面方向に沿って突出する複数の位置規制部を有する複数の光学シートと、
枠状をなし、前記光学シートの端縁部を係止する係止部を有する支持体と、
前記係止部を切り欠くように設けられ、前記位置規制部が挿入される挿入部と
を備える表示装置において、
各位置規制部は、幅寸法が異なり、
各位置規制部を覆うように押さえた状態で、端部が前記挿入部の端部に固定されたシート押さえ部材を備えることを特徴とする表示装置。
【請求項２】
前記シート押さえ部材は板状をなし、厚みは長手方向中央部で最も薄く、両端部に向かって段階的に厚くなるように、複数の凹部を有することを特徴とする請求項１に記載の表示装置。
【請求項３】
少なくとも１つの位置規制部は、両面粘着テープにより、前記凹部に固定されていることを特徴とする請求項２に記載の表示装置。
【請求項４】
前記シート押さえ部材は、板状をなし、長手方向の両端部が両面粘着テープにより前記挿入部に固定されていることを特徴とする請求項１から３までのいずれか１項に記載の表示装置。
【請求項５】
前記シート押さえ部材は突起部を有し、該突起部が前記支持体に係止されていることを特徴とする請求項１から３までのいずれか１項に記載の表示装置。
【請求項６】
請求項１から５までのいずれか１項に記載の表示装置と、
テレビジョン放送を受信する受信部と
を備え、
前記受信部にて受信したテレビジョン放送に基づいて、前記表示装置に映像を表示することを特徴とするテレビジョン受信機。
【発明の詳細な説明】
【技術分野】
【０００１】
本発明は、表示パネルの後側に配され、端縁部に、面方向に沿って突出する複数の位置規制部を有する複数の光学シートと、枠状をなし、光学シートの端縁部を係止するとともに、位置規制部を挿入する挿入部が設けられた係止部を有する支持体とを備える表示装置、及び該表示装置を備えるテレビジョン受信機に関する。
【背景技術】
【０００２】
例えば液晶テレビジョン受信機等のテレビジョン受信機（以下、ＴＶ受信機という）は、前側で映像を表示する表示パネル，表示パネルの後側に光を照射するバックライトユニットを有する表示モジュールと、表示モジュールの前後を挟むようにして収容するフロントキャビネット及びリアキャビネットと、スタンドとを備える。
エッジライト型の場合、表示モジュールは、例えば表示パネルと、例えば拡散シート，レンズシート，ＤＢＥＦシート（反射型偏光シート）等からなる光学シート群と、ミドルシャーシと、導光板と、反射シートと、ＬＥＤ基板と、シャーシとを備える。
バックライトユニットは表示パネルの背面側に配され、光学シート、導光板、及びＬＥＤ基板をシャーシに収納してなる。
【０００３】
ミドルシャーシは枠状をなす。ミドルシャーシの枠本体は段状をなし、内側段部に光学シート群の端縁部が、外側段部に表示パネルの端縁部が係止されるように構成されている。
光学シートの上側の端縁部には、面方向に沿って突出する複数の耳状の位置規制部が設けられている。
ミドルシャーシの内側段部には、位置規制部に対応して切り欠き（挿入部）が設けられ、挿入部の下端側の中央部には係止突起が設けられている。位置規制部には係止孔が設けられており、係止孔に係止突起を挿通した状態で挿入部に位置規制部を挿入することにより、光学シート群がミドルシャーシに位置決めされた状態で係止されるように構成されている。
【０００４】
光学シートは合成樹脂製であり、熱により伸縮する。即ち、光学シートの収縮を考慮して、係止突起部に係止される部分以外の部分において、ある程度フリーに動けるようにする必要がある。
一方、表示パネルの大型化により、振動試験において光学シートの動きが大きくなっており、この動きを抑制しなければならないという問題もある。即ち、導光板と光学シートとが擦れて疵がつきやすくなっており、光学シート群の動きを固定して、振動試験時の疵を回避する必要がある。
【０００５】
この２つの相反する問題を考慮する必要があるが、現在は後者の光学シートの動きを抑制することを重要視し、光学シート群の全ての光学シートを１つのテープで挿入部に固定している。光学シートの位置規制部の大きさは、挿入部の底面から外側（表示パネルが載置される方）に向かって小さくなっており、１つのテープで一度に固定することができる。
しかし、線膨張係数が大きい光学シート（ＤＢＥＦシート等）に対し、強力なテープで固定してしまうと低温収縮時に位置決め部分から離れた部分に大きな応力がかかってしまい、表示品位に悪影響が出ることがある。例えば、角部に応力がかかって偏光軸が変わり、影が生じることがある。
【０００６】
特許文献１には、導光板の平面に積層した光学シート群と導光板とを、導光板の側面を覆い、断面がコの字状に屈曲された固定テープにより、まとめて接着するように構成された面状照明装置の発明が開示されている。この場合においても、光学シートをまとめて固定するため、線膨張係数が大きい光学シートに起因する上述の問題を回避することができない。
【０００７】
特許文献２には、光学シートの位置規制部の大きさを同一にし、フレームの挿入部に係止突起を設け、位置規制部に係止孔を設けておき、係止突起を係止孔に挿通した状態で挿入部に各位置規制部を挿入した後、上側の光学シートを覆い、かつフレームの挿入部の側方を覆う片面粘着テープにより、光学シート群をまとめて挿入部に固定するように構成された液晶表示装置の発明が開示されている。
特許文献２の発明においても、光学シートをまとめて固定するため、線膨張係数が大きい光学シートに起因する上述の問題を回避することができない。
【０００８】
以上のように、振動対策を優先せざるを得ないため、光学シートの低温収縮時に生じる表示品位の不良に対して、有効な手段がない状況にある。
そして、ミドルシャーシの挿入部において、表示パネルを支持する外側段部が欠落しており、表示パネルが外側段部に支持されず、挿入部の両端部が表示パネルに当たって負荷がかかるので、セル厚（液晶層の厚み）が変化し、白抜けとなり、表示品位が悪くなるという問題があった。
【先行技術文献】
【特許文献】
【０００９】
【特許文献１】特開２０１４−２０３６０２号公報
【特許文献２】特開２０１２−１９６３１２号公報
【発明の概要】
【発明が解決しようとする課題】
【００１０】
本発明は斯かる事情に鑑みてなされたものであり、振動した場合に光学シートが動くことが抑制され、光学シートが伸縮した場合に表示品位の不良が発生することが抑制されるとともに、表示パネルのセル厚が変化して表示品位が悪化することが抑制された表示装置、及び該表示装置を備えるテレビジョン受信機を提供することを目的とする。
【課題を解決するための手段】
【００１１】
本発明に係る表示装置は、矩形板状をなし、前側で映像を表示する表示パネルの後側に配され、端縁部に、面方向に沿って突出する複数の位置規制部を有する複数の光学シートと、枠状をなし、前記光学シートの端縁部を係止する係止部を有する支持体と、前記係止部を切り欠くように設けられ、前記位置規制部が挿入される挿入部とを備える表示装置において、各位置規制部は、幅寸法が異なり、各位置規制部を覆うように押さえた状態で、端部が前記挿入部の端部に固定されたシート押さえ部材を備えることを特徴とする。
【００１２】
本発明に係る表示装置は、前記シート押さえ部材は板状をなし、厚みは長手方向中央部で最も薄く、両端部に向かって段階的に厚くなるように、複数の凹部を有することを特徴とする。
【００１３】
本発明に係る表示装置は、少なくとも１つの位置規制部は、両面粘着テープにより、前記凹部に固定されていることを特徴とする。
【００１４】
本発明に係る表示装置は、前記シート押さえ部材は、板状をなし、長手方向の両端部が両面粘着テープにより前記挿入部に固定されていることを特徴とする。
【００１５】
本発明に係る表示装置は、前記シート押さえ部材は突起部を有し、該突起部が前記支持体に係止されていることを特徴とする。
【００１６】
本発明に係るテレビジョン受信機は、上述のいずれかの表示装置と、テレビジョン放送を受信する受信部とを備え、前記受信部にて受信したテレビジョン放送に基づいて、前記表示装置に映像を表示することを特徴とする。
【発明の効果】
【００１７】
本発明の表示装置によれば、位置規制部毎に、シート押さえ部材の内側で固定する方法を変えることができる。例えば、挿入部の底面側に配され、線膨張係数が小さい光学シートに対しては、位置規制部を強力な両面粘着テープによりシート押さえ部材に固定し、光学シートの長手方向の動きを抑止する。外側に配され、線膨張係数が大きい光学シートに対しては、位置規制部はテープ等を用いず、シート押さえ部材を重ねるのみでソフトに固定し、光学シートの長手方向の若干の動きを許容する等し、光学シート毎に夫々最適な固定方法を選択することができる。
これにより、光学シートを良好に固定して振動を抑制し、かつ光学シートの伸縮時の応力による表示品位不良の発生を抑制することができる。
そして、本発明の表示装置によれば、シート押さえ部材により、同時に複数の光学シートを固定することができる。幅寸法が異なる複数の位置規制部を各別に固定することにした場合、工数が増加するが、本発明においては一度の作業で、全ての位置規制部を固定することができる。
さらに、シート押さえ部材上に表示パネルを載置することができるので、セル厚が変化し、白抜けとなり、表示品位が悪くなるという問題も生じない。
【図面の簡単な説明】
【００１８】
【図１】実施の形態１に係るＴＶ受信機の外観斜視図である。
【図２】図１のII−II線断面図である。
【図３】ミドルシャーシ及び光学シート群を示す斜視図である。
【図４】図３の一部拡大斜視図である。
【図５】シート押さえ部材を示す斜視図である。
【図６】シート押さえ部材を示す側面図である。
【図７】図４のVII −VII 線断面図である。    である。
【図８】図７の一部拡大断面図である。
【図９】実施の形態２に係るシート押さえ部材による光学シート群の固定構造を示す断面図である。
【図１０】実施の形態３に係るシート押さえ部材による光学シート群の固定構造を示す断面図である。
【図１１】実施の形態４に係るシート押さえ部材による光学シート群の固定構造を示す断面図である。
【発明を実施するための形態】
【００１９】
以下、本発明をその実施の形態を示す図面に基づいて具体的に説明する。
実施の形態１．
図１は本発明の実施の形態１に係るＴＶ受信機１の外観斜視図、図２は図１のII−II線断面図、図３はミドルシャーシ７及び光学シート群６を示す斜視図、図４は図３の一部拡大斜視図、図５はシート押さえ部材８を示す斜視図、図６はシート押さえ部材８を示す側面図、図７は図４のVII −VII 線断面図、図８は図７の一部拡大断面図である。なお、図７において両面粘着テープは省略している。以下の説明では、各図中に矢印で示す上下、左右、前後を使用する。
【００２０】
ＴＶ受信機１は、表示パネル５を有する表示モジュール２と、表示モジュール２を挟むようにして収容するフロントキャビネット３及びリアキャビネット４と、アンテナ（不図示）から放送波を受信するチューナ２１と、符号化された放送波を復号するデコーダ２２とを備える。表示モジュール２は、全体として横長の略直方体状をなし、縦姿勢でフロントキャビネット３及びリアキャビネット４内に収容されている。
フロントキャビネット３は矩形枠状をなす。リアキャビネット４は、表示モジュール２の側面及び背面を覆うように箱状をなしている。
【００２１】
表示モジュール２は、表示パネル５と、光学シート群６と、ミドルシャーシ７と、導光板１０と、反射シート（不図示）と、ＬＥＤ基板（不図示）と、ＢＬシャーシ１４とを備える。
表示動作の際には、導光板１０から面状の光が出射され、その光によって表示パネル５の背面が照明される。
【００２２】
ＢＬシャーシ１４は、表示パネル５側が開口された略箱状をなす。そして、ＢＬシャーシ１４に、導光板１０、反射シート、及びＬＥＤ基板が収納されている。
ＢＬシャーシ１４の裏面には、前記チューナ２１、及びデコーダ２２、及びＣＰＵ等を備えるメイン基板（不図示）が設けられている。
【００２３】
表示パネル５は、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が介在する。そして、２枚の偏光板は、カラーフィルタ基板及びＴＦＴ基板夫々の、液晶層側とは反対側の面上に配されている。
【００２４】
光学シート群６は、ＤＢＥＦシート（反射型偏光シート）６１、レンズシート６２、及び拡散シート６３等を含むシート群であり、導光板１０の主面側に配されている。この光学シート群６によって、導光板１０の主面から出射された光の拡散及び集光等が行われる。
ＤＢＥＦシート６１，レンズシート６２，拡散シート６３の上側及び下側の端縁部には夫々、面方向に沿って突出する、例えば３個の、耳状をなす位置規制部６１ａ，６２ａ，６３ａが設けられている。位置規制部６１ａ，６２ａ，６３ａの根元部分の長手方向の中央部には、後述する位置決めリブ７７が挿通される挿通孔が設けられている（図４の６１ｂ参照）。
【００２５】
ＬＥＤ基板は、導光板１０内へ導入する光を生成するためのものであり、導光板１０の前記長側面側に配されている。
導光板１０の前記裏面に反射シートが配されている。
【００２６】
図２〜図４に示すように、ミドルシャーシ７は、枠状をなす本体７１、パネル支持部７２、リブ７３、緩衝材収納部７４、及び当接部７５を備える。以下、ミドルシャーシ７の上側の長辺部分について説明する。本体７１は板状をなし、本体７１の上側端縁部に、板状をなし、本体７１の長手方向に延びるパネル支持部７２が設けられている。
【００２７】
パネル支持部７２の下側端縁部にはパネル支持部７２の長手方向に延びるリブ７３が設けられている。
パネル支持部７２は、積層される位置規制部６１ａ，６２ａ，６３ａに対応して長手方向に３箇所切り欠かれ、本体７１上に挿入部７６が設けられている。挿入部７６の長手方向の中央部で、下端部寄りには位置決めリブ７７が設けられている。
パネル支持部７２の上側端面には、当接部７５がパネル支持部７２に垂直に連設されている。本体７１の後面には緩衝材収納部７４が凹設されている。
ミドルシャーシ７の下側の長辺部分も、上側の長辺部分と同様の構成を有する。
【００２８】
以上のように構成されたミドルシャーシ７においては、各挿入部７６の底面に位置規制部６１ａ，６２ａ，６３ａが積層され、シート押さえ部材８により押さえられた状態で、挿入部７６に挿入されることにより、本体７１の平面に光学シート群６の端縁部が係止される。そして、リブ７３と当接部７５との間に緩衝材１５が載置された状態で、表示パネル５の後面の端縁部がパネル支持部７２に支持される。緩衝材収納部７４には緩衝材１６が収納され、導光板１０の前面の端縁部が緩衝材１６に当接される。
即ち、表示パネル５の前面の端縁部とフロントキャビネット３との間に緩衝材１８が介在し、表示パネル５の後面の端縁部とパネル支持部７２との間に緩衝材１５が介在する状態で、表示パネル５はフロントキャビネット３及びミドルシャーシ７に挟持される。
当接部７５は、下面がＢＬシャーシ１４の上板部分の上面に当接するとともに、上面がフロントキャビネット３の上板部分の下面に当接する。即ち、ミドルシャーシ７はＢＬシャーシ１４の上板部分を支持する。
以上の構成により、表示パネル５とバックライトユニットとが一体化されている。
【００２９】
以下に、シート押さえ部材８による位置規制部６１ａ，６２ａ，６３ａの固定構造について詳述する。
図５及び図６に示すように、シート押さえ部材８は板状をなし、厚みは長手方向中央部で最も薄く、両端部に向かって段階的に厚くなるように、第１凹部８１、第２凹部８２、第３凹部８３を有する。そして、長手方向中央部に、位置決めリブ７７に嵌合される嵌合部８４を有する。
第１凹部８１にＤＢＥＦシート６１の位置規制部６１ａが、第２凹部８２にレンズシート６２の位置規制部６２ａが、第３凹部８３に拡散シート６３の位置規制部６３ａが収納される。
【００３０】
図８の拡大図に示すように、シート押さえ部材８の長手方向の両端部は、両面粘着テープ９１により挿入部７６の長手方向の両端部に固定されている。
拡散シート６３の位置規制部６３ａは、挿通孔に位置決めリブ７７が挿通されて挿入部７６の平面に載置され、第３凹部８３に収納された状態で、外面の両端部と、第３凹部８３の内面の両端部とが両面粘着テープ９２により接着されている。
レンズシート６２の位置規制部６２ａは、挿通孔に位置決めリブ７７が挿通されて拡散シート６３に載置され、第２凹部８２に収納された状態で、外面の両端部と、第２凹部８２の内面の両端部とが両面粘着テープ９３により接着されている。
ＤＢＥＦシート６１の位置規制部６１ａは、挿通孔６１ｂに位置決めリブ７７が挿通されてレンズシート６２に載置された状態で、第１凹部８１に収納されている。ＤＢＥＦシート６１の端部は第１凹部８１に接着されていない。
【００３１】
シート押さえ部材８の両端部には両面粘着テープ９１が、第３凹部８３の両端部には両面粘着テープ９２が、第２凹部８２の両端部には両面粘着テープ９３が予め貼付されている。
シート押さえ部材８により光学シート群６を固定する場合、まず、位置規制部６３ａ、位置規制部６２ａ、位置規制部６１ａを順に、各挿通孔により位置決めリブ７７に嵌めて位置決めした状態で、挿入部７６に載置する。嵌合部８４が位置決め部７７に嵌合された状態で、シート押さえ部材８により光学シート群６を覆い、押圧することにより、シート押さえ部材８は挿入部７６に固定される。このとき、位置規制部６１ａは第１凹部８１に遊嵌され、位置規制部６２ａは端部が両面粘着テープ９３により固定された状態で第２凹部８２に収納され、位置規制部６３ａは端部が両面粘着テープ９２により固定された状態で第３凹部８３に収納される。
【００３２】
本実施の形態においては、位置規制部毎に、シート押さえ部材８の内側で固定する方法を変えることができる。上述したように、挿入部７６の底面側に配され、線膨張係数が小さい拡散シート６３の位置規制部６３ａは強力な両面粘着テープ９２により第３凹部８３に堅実に固定し、拡散シート６３の長手方向の動きを抑止する。外側に配され、線膨張係数が大きいＤＢＥＦシート６１の位置規制部６１ａはテープを用いず、シート押さえ部材８を重ねるのみでソフトに固定し、位置規制部６１ａが第１凹部８１に遊びを有して嵌められている分、ＤＢＥＦシート６１の長手方向の動きを許容する等、光学シート毎に夫々最適な固定方法を選択することができる。
これにより、光学シート群６を良好に固定して振動を抑制するとともに、低温収縮時の応力による表示品位不良の発生を抑制することができる。
【００３３】
本実施の形態においては、位置規制部６２ａが第２凹部８２に、位置規制部６３ａが第３凹部８３に接着され、位置規制部６１ａは接着されていない場合につき説明しているがこれには限定されない。位置規制部６２ａ及び６３ａは接着せず、位置規制部６１ａを接着することにしてもよく、全ての位置規制部を接着することにしてもよい。上述したように、線膨張係数が大きい光学シートはソフトに固定するのが好ましい。
また、光学シートをシート押さえ部材８の内面に接着するのではなく、該内面と反対側の面（挿入部７６の底面側、及び他の光学シートの外面等）に接着することにしてもよい。
【００３４】
本実施の形態においては、簡単な構造を有するシート押さえ部材８により、同時に複数の光学シートを固定することができる。シート押さえ部材８の挿入部７６への固定は、両面粘着テープ９１により容易に行なわれる。幅寸法が異なる複数の位置規制部を各別に固定することにした場合、工数が増加するが、本実施の形態においては一度の作業で、全ての位置規制部を固定することができる。
そして、シート押さえ部材８上に表示パネル５を載置することができるので、セル厚が変化し、白抜けとなり、表示品位が悪くなるという問題も生じない。
【００３５】
なお、本実施の形態においては、ミドルシャーシ７が一つの枠状をなす場合につき説明しているがこれに限定されるものではなく、複数の分体を連結して一体化するものであってもよい。
また、挿入部７６は、ミドルシャーシ７の両長辺部分に３個ずつ設けられている場合に限定されない。挿入部７６は上側の長辺部分のみの設けることにしてもよく、短辺部分に設けることにしてもよい。
【００３６】
実施の形態２．
図９は、実施の形態２に係るシート押さえ部材８による光学シート群６の固定構造を示す断面図である。図８と同一部分は同一符号を付して詳細な説明を省略する。
実施の形態２に係るシート押さえ部材８は、第３凹部８３を有さないこと以外は、実施の形態１に係るシート押さえ部材８と同様の構成を有する。
シート押さえ部材８は、両端部が両面粘着テープ９１により固定されている。
ＤＢＥＦシート６１の位置規制部６１ａは第１凹部８１に遊嵌され、レンズシート６２の位置規制部６２ａは端部が第２凹部８２の内面に両面粘着テープ９３により固定された状態で第２凹部８２に収納されている。
拡散シート６３の位置規制部６３ａは、シート押さえ部材８と挿入部７６との間に介在されている。
両面粘着テープ９１及び位置規制部６３ａの厚みは略等しい。位置規制部６３ａは位置規制部６１ａ、位置規制部６２ａ、及びシート押さえ部材８により押圧されているので、長手方向の動きは抑制されているが、実施の形態１の位置規制部６３ａと比較して、本実施の形態の位置規制部６３ａは遊びを有して嵌められている分、若干の動きが許容されている。
【００３７】
本実施の形態においては、実施の形態１と同様に、位置規制部毎に、シート押さえ部材８の内側で固定する方法を変えることができ、光学シートを良好に固定して振動を抑制し、かつ低温収縮時の応力による表示品位不良の発生を抑制することができる。
また、本実施の形態においては、シート押さえ部材８により、同時に複数の光学シートを固定することができる。
そして、シート押さえ部材８上に表示パネル５を載置することができるので、セル厚が変化して表示品位が悪くなるという問題も生じない。
【００３８】
実施の形態３．
図１０は、実施の形態３に係るシート押さえ部材８による光学シート群６の固定構造を示す断面図である。図８と同一部分は同一符号を付して詳細な説明を省略する。
実施の形態３に係るシート押さえ部材８は、内面の長手方向の両端部に突起部８５を有する。
突起部８５は、２つの円柱を連設してなり、外側の円柱の方が内側の円柱より径が大きい。
挿入部７６の底面には、突起部８５を係止する係止孔７６ａが設けられている。
【００３９】
本実施の形態においては、位置規制部６３ａ，６２ａ、６１ａが順に、各挿通孔により位置決めリブ７７に嵌められて位置決めされた状態で、挿入部７６に載置される。そして、シート押さえ部材８を、位置規制部６３ａ，６２ａ、６１ａを覆い、係止孔７６ａに突起部８５を嵌合して、押圧することにより、シート押さえ部材８が挿入部７６に良好に固定される。
【００４０】
実施の形態４．
図１１は、実施の形態４に係るシート押さえ部材８による光学シート群６の固定構造を示す断面図である。図４と同一部分は同一符号を付して詳細な説明を省略する。
実施の形態４に係るシート押さえ部材８は、嵌合部８５を有さないこと以外は、実施の形態１に係るシート押さえ部材８と同様の構成を有する。
実施の形態４に係るシート押さえ部材８は、位置決めリブ７７を覆うように光学シート群６上に配置される。
シート押さえ部材８の内面の、位置決めリブ７７に対向する部分には、両面粘着テープ９４が貼付されており、シート押さえ部材８をシート群６に押圧することにより、前記内面は位置決めリブ７７に接着される。
本実施の形態においては、シート押さえ部材８の挿入部７６への固定がより良好である。
【００４１】
実施の形態５．
実施の形態５に係るシート押さえ部材８による光学シート群６の固定構造は、図３における中央部の挿入部７６と、角部側の挿入部７６とで変えている。
角部側は光学シートが低温で収縮した場合に応力がかかり易く、表示モジュールが振動した場合に動きが大きい。
従って、角部側の挿入部７６において、光学シート群６をより強固に固定する。
例えば角部側の挿入部７６への固定を、図８の両面粘着テープ９１による固定ではなく、図１０の突起部８５による固定にする。
また、中央部の挿入部７６に対しては、図９のように、拡散シート６３の位置規制部６３ａが遊びを有した状態でソフトに固定され得るシート押さえ部材８を用い、角部の挿入部７６に対しては、図８のように、位置規制部６３ａが第３凹部８３の内面に両面粘着テープ９２により強固に固定され得るシート押さえ部材８を用いることにしてもよい。
【００４２】
本実施の形態においては、角部側において、光学シートが低温で収縮した場合に応力がかかるのがより良好に抑制され、表示モジュールが振動した場合の光学シートの動きがより良好に抑制されている。
【００４３】
以上のように、本発明に係る表示装置（１）は、矩形板状をなし、前側で映像を表示する表示パネル（５）の後側に配され、端縁部に、面方向に沿って突出する複数の位置規制部（６１ａ、６２ａ、６３ａ）を有する複数の光学シート（６１、６２、６３）と、枠状をなし、前記光学シートの端縁部を係止する係止部（７１）を有する支持体（７）と、前記係止部を切り欠くように設けられ、前記位置規制部が挿入される挿入部（７６）とを備える表示装置において、各位置規制部は、幅寸法が異なり、各位置規制部を覆うように押さえた状態で、端部が前記挿入部の端部に固定されたシート押さえ部材（８）を備えることを特徴とする。
【００４４】
本発明においては、位置規制部毎に、シート押さえ部材の内側で固定する方法を変えることができる。例えば、挿入部の底面側に配され、線膨張係数が小さい光学シートは、位置規制部を強力な両面粘着テープによりシート押さえ部材に固定し、光学シートの長手方向の動きを抑止する。外側に配され、線膨張係数が大きい光学シートの位置規制部はテープ等を用いず、シート押さえ部材を重ねるのみでソフトに固定し、光学シートの長手方向の若干の動きを許容する等し、光学シート毎に夫々最適な固定方法を選択することができる。
これにより、光学シートを良好に固定して振動を抑制し、かつ低温収縮時の応力による表示品位不良の発生を抑制することができる。
また、本発明においては、シート押さえ部材により、同時に複数の光学シートを固定することができる。幅寸法が異なる複数の位置規制部を各別に固定することにした場合、工数が増加するが、本発明においては一度の作業で、全ての位置規制部を固定することができる。
そして、シート押さえ部材上に表示パネルを載置することができるので、セル厚が変化し、白抜けとなり、表示品位が悪くなるという問題も生じない。
【００４５】
本発明に係る表示装置は、前記シート押さえ部材は板状をなし、厚みは長手方向中央部で最も薄く、両端部に向かって段階的に厚くなるように、複数の凹部（８１、８２、８３）を有することを特徴とする。
【００４６】
本発明においては、簡単な構造で、位置規制部毎に固定方法を変えることができる。
【００４７】
本発明に係る表示装置は、少なくとも１つの位置規制部は、両面粘着テープ（９２、９３）により、前記凹部に固定されていることを特徴とする。
【００４８】
本発明においては、線膨張係数が小さい光学シートを良好に固定することができる。
【００４９】
本発明に係る表示装置は、前記シート押さえ部材は、板状をなし、長手方向の両端部が両面粘着テープ（９１）により前記挿入部に固定されていることを特徴とする。
【００５０】
本発明においては、簡単な構造でシート押さえ部材を挿入部に固定することができる。      
【００５１】
本発明に係る表示装置は、前記シート押さえ部材は突起部（８５）を有し、該突起部が前記支持体に係止されていることを特徴とする。
【００５２】
本発明においては、簡単な構造でシート押さえ部材を挿入部に固定することができる。      
【００５３】
本発明に係るテレビジョン受信機（１）は、上述のいずれかの表示装置と、テレビジョン放送を受信する受信部（２１）とを備え、前記受信部にて受信したテレビジョン放送に基づいて、前記表示装置に映像を表示することを特徴とする。
【００５４】
本発明は上述した実施の形態の内容に限定されるものではなく、請求項に示した範囲で種々の変更が可能である。即ち、請求項に示した範囲で適宜変更した技術的手段を組み合わせて得られる実施形態も本発明の技術的範囲に含まれる。
例えば、本発明の表示装置は、エッジ型に限定されるものではなく、直下型に適用することも可能である。
【符号の説明】
【００５５】
１  ＴＶ受像機
２  表示モジュール
３  フロントキャビネット
４  リアキャビネット
５  表示パネル
６  光学シート群
６１  拡散シート
６２  レンズシート
６３  ＤＢＥＦシート
６１ａ、６２ａ、６３ａ  位置規制部
６１ｂ  挿通孔
７  ミドルシャーシ
７１  本体
７２  パネル支持部
７３  リブ
７４  緩衝材収納部
７５  当接部
７６  挿入部
７６ａ  係止孔
７７  位置決めリブ
８  シート押さえ部材
８１  第１凹部
８２  第２凹部
８３  第３凹部
８４  嵌合部
８５  突起部
９１、９２、９３  両面粘着テープ
１０  導光板
１４  ＢＬシャーシ
１５、１６、１８  緩衝材
２１  チューナ
２２  デコーダ 
【図１】
2017040890.tif 000003
【図２】
2017040890.tif 000004
【図３】
2017040890.tif 000005
【図４】
2017040890.tif 000006
【図５】
2017040890.tif 000007
【図６】
2017040890.tif 000008
【図７】
2017040890.tif 000009
【図８】
2017040890.tif 000010
【図９】
2017040890.tif 000011
【図１０】
2017040890.tif 000012
【図１１】
2017040890.tif 000013